(57)【要約】【課題】上面が前方から後方へ向けて下向きに傾斜し、上面の前部に少なくとも一つのネジ穴が設けられた文字等を表示するための表示装置の筐体の上面に設けられる載置具であって、価格及びデザインの観点から付属品等の部品点数が少なく、簡素な載置具を提供すること。【解決手段】上面が前方から後方へ向けて下向きに傾斜し、上面の前部に少なくとも一つのネジ穴が設けられた文字等を表示するための表示装置の筐体５の上面に設けられる載置具であって、前記筐体５の上面に配置される載置板１と、前記載置板１を表示装置の筐体の上面で支持する少なくとも３本の脚２，３，４とを有し、前記脚の少なくとも１本は、前記筐体のネジ穴に係合する係合部２ａ，３ａを有することを特徴とする表示装置の筐体用載置具。【選択図】　　　　図１
2004133062.tif 000002
【特許請求の範囲】
【請求項１】
上面が前方から後方へ向けて下向きに傾斜し、上面の前部に少なくとも一つのネジ穴が設けられた文字等を表示するための表示装置の筐体の上面に設けられる載置具であって、
前記筐体の上面に配置される載置板と、前記載置板を表示装置の筐体の上面で支持する少なくとも３本の脚とを有し、
前記脚の少なくとも１本は、前記筐体のネジ穴に係合する係合部を有することを特徴とする表示装置の筐体用載置具。
【発明の詳細な説明】
【０００１】
【発明の属する技術分野】
本発明は、文字や絵等を表示するための表示装置の筐体の上面に設けられる載置具に係わり、特に、上面が前方から後方へ向けて下向きに傾斜し、上面の前部に少なくとも一つのネジ穴が設けられた文字等を表示するための表示装置の筐体の上面に設けられる載置具に関する。
【０００２】
【従来の技術】
従来の文字等を表示するための表示装置の筐体の上面に設けられる載置具としては、特開平９−１７３１６７，特開平１０−６５９９８，特開平１０−１４５７０４　が挙げられる。
いずれも上面の後部が後方に向け下向きに傾斜した表示装置の筐体の上面に設ける載置具である。そして、それらの載置具は前記筐体の上面に配置される載置板と、前記載置板の後部と前記筐体との間に介設されて前記載置板を支持する支持脚とを有する。前記支持脚によって前記載置板を水平に保つことにより、前記載置板の上に物を載置することが可能になる。
【０００３】
そのような支持脚の先端は、特開平９−１７３１６７に記載の表示装置の筐体用載置具において、ラバーで形成されており、その支持脚は筐体の上面の傾斜面に配置される。特開平１０−６５９９８に記載の表示装置の筐体用載置具においては、支持脚の先端はゴム製キャップで覆われており、その支持脚が筐体の上面の傾斜面に配置される。特開平１０−１４５７０４　に記載の表示装置の筐体用載置具においては、支持脚の先端は、両面テープ等により筐体の上面の傾斜面に固着されている。
【０００４】
【特許文献１】
特開平９−１７３１６７号公報
【特許文献２】
特開平１０−６５９９８号公報
【特許文献３】
特開平１０−１４５７０４　号公報
【０００５】
【発明が解決しようとする課題】
ところで、表示装置の筐体の上面に設けられる載置具は、価格及びデザインの観点から付属品等の部品点数が少なく、簡素なものが望まれる。また、一部の表示装置の筐体には表示画面を筐体に取り付けるため、若しくは内部の機器等を筐体内に固定するために、上面の前部に少なくとも一つのネジ穴が設けられているものがある。
【０００６】
そこで本発明の目的とするところは、上面が前方から後方へ向けて下向きに傾斜し、上面の前部に少なくとも一つのネジ穴が設けられた文字等を表示するための表示装置の筐体の上面に設けられる載置具であって、価格及びデザインの観点から付属品等の部品点数が少なく、簡素な載置具を提供するものである。
【０００７】
【課題を解決するための手段】
上記目的を達成するために本発明の表示装置の筐体用載置具は、上面が前方から後方へ向けて下向きに傾斜し、上面の前部に少なくとも一つのネジ穴が設けられた文字等を表示するための表示装置の筐体の上面に設けられる載置具であって、前記筐体の上面に配置される載置板と、前記載置板を表示装置の筐体の上面で支持する少なくとも３本の脚とを有し、
前記脚の少なくとも１本は、前記筐体のネジ穴に係合する係合部を有することを特徴とする。
【０００８】
上記構造によると、載置具の少なくとも１本の脚が前記筐体のネジ穴に係合する係合部を有しているので、前記筐体の上面に予め嵌め込まれているネジを取り外し、載置具の脚をこのネジ穴に係合させると、前記筐体の傾斜面である上面から滑らないように載置具を設置することができる。
【０００９】
【発明の実施の形態】
以下本発明の第１の実施形態を図面に基づいて説明する。図１は側面図、図２は上面図である。
図１において、本発明の表示装置の筐体用載置具は、載置板１と第１　、第２　、第３　と３本の脚２，３，４を有している。そして、表示装置の筐体５の上面に設置されている。
表示装置の筐体５の上面は前方から後方へ向けて下向きに傾斜し、上面の前部に左右方向に離れて二つのネジ穴が設けらている。筐体５の上面のネジ穴の数は任意であるが少なくとも一つは必要である。前記表示装置の筐体としては、例えば、文字や絵等を表示するパソコン用表示装置の筐体、テレビ画面用筐体等がある。本実施形態において示された筐体５　は、アップルコンピュータ社のｅ　Ｍａｃを示している。
【００１０】
前記第１　、第２　の脚２，３は、前記ネジ穴に係合する係合部２ａ、３ａを有し、前記ネジ穴に挿入され、係合している。従って、前記第１　、第２　の脚２，３は、上面の前部で左右方向に離れて配置されている。第３　の脚４は、上面の後部中央に配置されている。
【００１１】
前記載置板１の形状は、本実施形態においては、上面から見ると、後から前へと広がる略三角形状をしている（図２参照）。載置板１の上面から見た形状は、筐体５の上面の形状にデザイン的に合うように定めると良い。例えば、筐体５の上面の形状が略三角形状をしていれば載置板１も略三角形状に、筐体５の上面が略矩形であれば載置板１も略矩形にする。
本実施形態において、前記載置板１の材質は樹脂である。載置板１の材質及び厚みは、載置板１の載せる物によって適宜定める。更に、図示されていないが載置板１には第１乃至第３脚２，３，４を取り付けるための孔が設けられている。
【００１２】
前記載置板１の前側の脚である第１、第２脚２，３について図３乃至図６を用いて詳しく説明する。図３は、図２のＡ−Ａ線断面図である。第１、第２脚２，３は左右対称に表れるため、第２脚３についてのみ説明し、第１脚２の説明を省略する。
第２脚３は、載置板取り付け部材６，７と、筐体取り付け部材１１と、前記載置板取り付け部材６，７と筐体取り付け部材１１とを連結する連結部材８，９，１０とを有する。
【００１３】
載置板取り付け部材６，７は、図４に示すようなＬ字プレート６とネジ７を有する。図４において、（ａ）は左側面図、（ｂ）正面図、（ｃ）は上面図である。Ｌ字プレート６は正面から見てＬ字型に屈曲したプレートであり、上面プレート部６ａと側面プレート部６ｂを有する。上面プレート部６ａにはネジ孔６ｃが設けられている。側面プレート部６ｂには孔６ｄが設けられている。前記ネジ孔６ｃ及び孔６ｄは貫通孔である。
【００１４】
上面プレート部６ａが前記載置板１の下面に添えられた状態で、載置板１とＬ字プレート６がネジ７によって共締めされる。ネジ７の頭が載置板１から突出せずに、載置板１の厚み範囲に収まるように載置板１の孔の大きさは考慮されている。
側面プレート部６ｂは後述する連結部材の円柱体８に挿入される。後述する連結部材の第１ネジ９の周りでＬ字プレート６を回動自在とするように、孔６ｄの直径は第１ネジ９の直径よりも大きく設定されている。
【００１５】
筐体取り付け部材１１は、図５に示すように、筐体５に設けられたネジ穴と係合する係合部であるネジ部３ａと、そのネジ頭１１ａと、前記ネジ頭１１ａから前記ネジ部３ａと反対側に突出する突出部１１ｂとを有している。突出部１１ｂは、後述する連結部材の円柱体に挿入される。
ネジ部３ａと突出部１１ｂは、ネジ頭１１ａから互いに反対側に突出している。突出部１１ｂの先端には、ネジ回しの尖端と係合する溝１１ｃが設けられている。
【００１６】
連結部材８，９，１０は、図６に示されるような円柱体８と、第１ネジ９と、第２ネジ１０を有する。図６において、（ｂ）は正面図、（ｃ）は上面図、（ａ）は（ｂ）のＢ−Ｂ線断面図である。図６（ａ）に示されるように、円柱体８の中心線に沿って垂直な方向に貫通する垂直貫通孔８ａが設けられている。円柱体８の上部には、前記垂直貫通孔８ａに通じるように、一方の側面から他方の側面へと水平方向に貫通する第１ネジ孔８ｂが設けられている。円柱体８の下部には、側面から前記垂直貫通孔８ａに通じる第２ネジ孔８ｃが設けられている。
【００１７】
垂直貫通孔８ａの上端側には、載置板取り付け部材６の側面プレート部６ｂが挿入される。そして、第１ネジ９が側面プレート部６ｂの孔６ｄを挿しとおすようにして第１ネジ孔８ｂにねじ込まれる。これにより、側面プレート部６ｂの垂直貫通孔８ａからの抜けを防止する共に、載置板取り付け部材６の側面プレート部６ｂの第１ネジ９周りの回動を可能にする。載置板取り付け部材６の側面プレート部６ｂの第１ネジ９周りの回動が可能であると、第１、第２脚２，３の載置板１に対する角度の変化が自在になる。
垂直貫通孔８ａの下端側には、前記筐体取り付け部材１１の突出部１１ｂが挿入される。そして、ネジ孔８ｃに第２ネジ１０がねじ込まれる。これにより、前記筐体取り付け部材１１の突出部１１ｂの垂直貫通孔８ａからの抜けを防止する。
【００１８】
次いで、第３脚４について図７を参照しつつ説明する。図７において、（ｂ）は正面図、（ａ）は側面図を示している。第３脚４は、前記載置板１の後部と前記筐体５との間に介設されて前記載置板１を水平に支持する支柱体として機能する。従って第３脚４の長さは、前記第１、第２脚２，３との距離及び筐体５の上面の傾斜角度等を考慮して定められる。
【００１９】
第３脚４は、載置板取り付け部材１２，１３と、筐体設置部材１４と、実質的に支柱体として機能するプレート部材１５とを有する。
載置板取り付け部材１２，１３として、ボルト１２及びナット１３が挙げられる。筐体設置部材１４として、シリコンゴム等の防振ゴム１４が挙げられる。前記プレート部材１５は、載置板取り付け部となる上端折り曲げ部１５ａと筐体設置部となる下端り折り曲げ部１５ｂとを有する。
【００２０】
上端折り曲げ部１５ａには、ボルトを挿入するための孔が２つ設けられている。上端折り曲げ部１５ａが前記載置板１の下面に添えられた状態で、載置板１と上端折り曲げ部１５ａがボルト１２及びナット１３によって共締めされる。ボルト１２の頭が載置板１から突出せずに、載置板１の厚み範囲に収まるように載置板１の孔の大きさは考慮されている。
【００２１】
下端折り曲げ部１５ｂの下面には、防振ゴム１４が貼着されている。これは、筐体５上に設置された第３脚４の下端折り曲げ部１５ｂの滑り防止と共に、前記載置板１上に設置された機器と前記筐体５との間で振動を伝わらないようにするために設けられている。
前記プレート部材１５の高さ、若しくは、長さ及び上下の折り曲げ部１５ａ，１５ｂの折り曲げ角度は、前記第１、第２脚２，３との距離及び筐体５の上面の傾斜角度等を考慮して載置板１が水平になるように定められる。
【００２２】
尚、前記載置板１、及び前記防振ゴム１４以外のものの材質は、耐腐食性及び美観を考慮するとステンレス素材であることが好ましい。
【００２３】
次に、上記構造の本発明の載置具の取り付け方法を図３に基づいて説明する。載置板取り付け部材を構成するＬ字プレート６はネジ７によって予め載置板１に取り付けて置く。加えて、第３脚４は載置板１に予め取り付けて置く。
先ず、筐体５の上面に取り付けられているネジを筐体５から取り外す。その代わりに、本実施形態に係わる第１、第２脚２，３の筐体取り付け部材１１のネジ部３ａを前記筐体５のネジ穴に挿入する。ネジ回しの先端を筐体取り付け部材１１の溝１１ｃ内に挿入し、筐体取り付け部材１１を回転させて筐体５の上面にネジ止めする。
そして、筐体取り付け部材１１の突出部１１ｂを円柱体８の垂直貫通孔８ａに下方から通し、第２ネジ１０によって、円柱体８を筐体取り付け部材１１に固定する。
【００２４】
次に、円柱体８の垂直貫通孔８ａに上方からＬ字プレート６の側面プレート部６ｂを通す。第１ネジ９がＬ字プレート６の孔６ｄを通るように円柱体８内に水平に第１ネジ９をねじこむ。これにより、図１に示すように、本実施形態の表示装置の筐体用載置具は、筐体５の上面に固定される。このとき、Ｌ字プレート６は第１ネジ９の周りで回動可能である。即ち、第１、第２脚２，３の載置板１に対する角度変化は自在であるので、載置板１が水平になるように第３脚４の設置位置を上下に移動させる。
【００２５】
【発明の効果】
本発明によれば、載置具の少なくとも１本の脚が前記筐体のネジ穴に係合する係合部を有しているので、前記筐体の上面に予め嵌め込まれているネジを取り外し、載置具の脚をこのネジ穴に係合させると、前記筐体の傾斜面である上面から滑らないように載置具を設置することができる。その結果、価格及びデザインの観点から付属品等の部品点数が少なく、簡素な載置具を実現できる。
【図面の簡単な説明】
【図１】本発明の実施形態の側面図である。
【図２】図１の上面図である。
【図３】図１のＡ−Ａ線断面図である。
【図４】本発明の実施形態に係わる載置板取り付け部材を示す図である。
【図５】本発明の実施形態に係わる筐体取り付け部材を示す図である。
【図６】本発明の実施形態に係わる連結部材を示す図である。
【図７】本発明の実施形態に係わる第３脚を示す図である。
【符号の説明】
１　載置板
２，３，４　脚
２ａ，３ａ　係合部
５　筐体
【図１】
2004133062.tif 000003
【図２】
2004133062.tif 000004
【図３】
2004133062.tif 000005
【図４】
2004133062.tif 000006
【図５】
2004133062.tif 000007
【図６】
2004133062.tif 000008
【図７】
2004133062.tif 000009